(57)【要約】【課題】一部を顧客のセルフサービスで行なうことができ、広告配信サービス及びプリントサービスに供用可能な装置を提供する。【解決手段】店舗の顧客領域には、サービスを選択して指示を入力するタッチパネル２と受付完了票をプリントする第１プリンタ３を有する入力端末１と、第１画像読取手段６と、表示手段１０が設けられる。店舗の管理領域には、制御手段８と、スキャナ７と、第２プリンタ９が設けられる。顧客が入力端末でサービスを選択し、第１画像読取手段又はスキャナが画像データを読み取ると、第１プリンタが受付票を出力する。これを店舗スタッフに見せて料金を支払うと、最初の選択に応じ、第２プリンタで印刷が行なわれ、又は広告画像が表示手段に表示される。【選択図】図１
2010086261.tif 000002
【特許請求の範囲】
【請求項１】
顧客がアクセス可能な店舗内の顧客領域に設置され、印刷サービスと広告配信サービスとクーポン券発行サービスからなるサービス群から顧客が所望のサービスを選択するとともに必要な指示を入力することができる指示入力手段と前記指示入力手段からサービスの選択及び必要な指示が入力されたことを示す受付完了票をプリントして顧客に出力する第１プリンタを備えた入力端末と、
前記顧客領域に設置され、前記印刷サービスのために顧客が持ち込んだ対象物から画像データを読み取る第１画像読取手段と、
顧客がアクセスできず店舗の管理者が管理する店舗内の管理領域に設置され、前記広告配信サービスのために顧客が持ち込んだ広告原稿から広告画像データを読み取る第２画像読取手段と、
前記管理領域に設置され、前記受付完了票を提示した顧客による料金の支払いが確認された後に管理者により操作され、前記入力端末の前記指示入力手段で入力された顧客の選択及び指示に従い、前記第１画像読取手段が読み取った対象物の画像データ又は前記第２画像読取手段が読み取った広告画像データを処理する制御手段と、
前記管理領域に設置され、前記制御手段から送られた画像データに基づいてプリントを実行する第２プリンタと、
前記顧客領域又は前記顧客領域から視認しうる場所に設置され、前記制御手段から送られた広告画像データによって広告画像を表示する表示手段と、
を具備することを特徴とするプリント及び広告配信サービス装置。
【請求項２】
顧客がアクセス可能な店舗内の顧客領域に設置され、顧客が指示を入力する指示入力手段と前記指示入力手段から指示が入力されたことを示す受付完了票をプリントして顧客に出力する第１プリンタを備えた入力端末と、
顧客がアクセスできず店舗の管理者が管理する店舗内の管理領域又は前記顧客領域に設置され、顧客が持ち込んだ対象物から画像データを読み取る画像読取手段と、
前記管理領域に設置され、前記受付完了票を提示した顧客による料金の支払いが確認された後に管理者により操作されて前記画像読取手段が読み取った対象物の画像データを前記入力端末の前記指示入力手段で入力された顧客の指示に従って処理する制御手段と、
前記管理領域に設置されて、前記制御手段から送られた画像データに基づいてプリントを実行する第２プリンタとを具備することを特徴とするプリントサービス装置。
【請求項３】
前記入力端末には、顧客の使用に供するための既成画像データが記憶されたメモリが設けられており、該メモリの既成画像データは顧客による前記入力端末の前記指示入力手段の操作によって使用可能であることを特徴とする請求項２記載のプリントサービス装置。
【請求項４】
前記入力端末には、顧客の画像データが記憶された外部メモリを接続するための接続端子が設けられており、該外部メモリの画像データは顧客による前記入力端末の前記指示入力手段の操作によって使用可能であることを特徴とする請求項３記載のプリントサービス装置。
【請求項５】
顧客がアクセス可能な店舗内の顧客領域に設置され、顧客が指示を入力する指示入力手段と前記指示入力手段から指示が入力されたことを示す受付完了票をプリントして顧客に出力する第１プリンタを備えた入力端末と、
顧客がアクセスできず店舗の管理者が管理する店舗内の管理領域又は前記顧客領域に設置され、顧客が持ち込んだ広告原稿から広告画像データを読み取る画像読取手段と、
前記管理領域に設置され、前記受付完了票を提示した顧客による料金の支払いが確認された後に管理者により操作されて前記画像読取手段が読み取った広告画像データを処理する制御手段と、
前記顧客領域又は前記顧客領域から視認しうる場所に設置され、前記制御手段から送られた広告画像データによって広告画像を表示する表示手段とを具備することを特徴とする広告配信サービス装置。
【請求項６】
前記入力端末の前記第１プリンタは、前記表示手段で表示されている広告画像の広告対象にて使用可能なクーポン券を前記入力端末の前記指示入力手段からの指示入力に応じてプリントして出力することを特徴とする請求項５記載の広告配信サービス装置。
【請求項７】
前記制御手段は、前記受付完了票を提示した顧客による料金の支払いが確認された後に管理者により操作された場合に、前記画像読取手段が読み取った広告画像データの内容について検閲を行なうことを特徴とする請求項６記載の広告配信サービス装置。
【発明の詳細な説明】
【技術分野】
【０００１】
本発明は、店舗内に設置して顧客が操作するサービス装置に係り、特にはがきプリント、フレーム切手申込用シール写真プリント、写真プリント、名刺プリント等の各種プリントサービスと、顧客が持ち込んだ広告原稿に基づく広告画像を店舗内の表示装置に表示させる広告配信サービスとを提供することができるプリント及び広告配信サービス装置に関するものである。
【背景技術】
【０００２】
特許文献１には、小規模店舗の集客力が及ぶ範囲の限られたエリア内において、できるだけ多くの場所で、しかも人目を引く形で広告を掲示し、しかも広告に要する費用が安く、さらに内容の変更も簡単にできるものとされた小規模店舗向けの広告方法が開示されている。この方法では、エリアＣの複数の広告依頼主Ａ１、Ａ２、…から広告を受注し、メインコンピューターで製作した複数の広告のパッケージ画像をエリアＣと略同一のエリアＤ内の複数の現場Ｂ１、Ｂ２、…においてサブコンピューターとディスプレイ装置によって放映するものである。
【０００３】
特許文献２には、表示内容を任意に変更できるようにして見ている者が飽きることのないようにした広告案内情報システムが開示されている。このシステムでは、静止画像及び動画像の少なくとも一方を含んで構成される複数の案内情報を蓄積装置に蓄積しておく。案内情報管理装置は、カラープラズマディスプレーから成る複数の表示板への表示対象となる案内情報を蓄積装置から繰り返し取得するとともに、取得した案内情報を該当する表示板へ個別的に送出する。このようにして、同一時間帯に一または複数の案内情報が複数の表示板において切換表示されるようにしている。
【０００４】
特許文献３には、ディスプレイに、常時、広告画像情報を表示し、所定の時間のＴＶ放送を自動的に優先させて表示させる広告装置が開示されている。この広告装置は、第１の時間データを有し、制御手順を格納するメモリと、装置全体を制御するＣＰＵと、ＣＰＵに現在時刻データを与えるためのクロック部と、ＣＤ−ＲＯＭに記録された第２の時間データ及び広告画像データを読み出すＣＤ−ＲＯＭ再生部と、広告画像データを画像処理する画像処理回路と、テレビジョン放送受信部と、ディスプレイとからなる。ＣＤ−ＲＯＭに記録された広告画像データをディスプレイに表示すると共に、メモリ上の第１の時間データに基づきテレビジョン放送を受像し、且つ、第１の時間データによる表示が第２の時間データによる表示に優先して表示される。
【特許文献１】特開２００１−３３８０３９号公報
【特許文献１】特開平１０−１８７１０７号公報
【特許文献１】特開平９−１０６２６８号公報
【発明の開示】
【発明が解決しようとする課題】
【０００５】
本発明者は、顧客が店舗に持ち込んだ画像又は顧客が店舗で選択した画像に基づき、顧客が当該店舗ではがきプリントや写真プリント等を申し込み、出来上がったはがきや写真を店舗で受け取るというプリントサービスについて検討しているが、構成が簡単で店舗単位で設置が可能であり、少なくともサービスの一部を顧客のセルフサービスによって行なうことができ、上述のようなプリントサービスに有効に利用できるプリントサービス装置は知られていない。
【０００６】
また本願発明者は、顧客が店舗に広告画像を持ち込んで広告の配信を申し込むと、当該店舗に設置された表示装置で当該広告画像による広告が表示され、当該店舗に本来の目的（何らかの物品やサービスの購入等）で来店した顧客が表示装置で広告画像を目にして宣伝が行なわれるという広告配信サービスについて検討している。しかしながら、構成が簡単で店舗単位で設置が可能であり、少なくともサービスの一部を顧客のセルフサービスによって行なうことができ、上述のような広告配信サービスに有効に利用できるような広告装置は知られていない。上記特許文献１乃至３に示した広告に関する発明によれば、それぞれの課題を解決するための手段を提供してはいるが、本願発明者の検討する上記広告サービスに利用できるものではない。
【０００７】
さらに、本発明者が検討している上記広告配信サービス及びプリントサービスに供用可能なプリント及び広告配信サービス装置についても知られていなかった。
【０００８】
本発明は、上述した課題を解決するものであり、構成が簡単で店舗単位で設置が可能であり、少なくともサービスの一部を顧客のセルフサービスによって行なうことができ、本願発明者が検討している前述したような広告配信サービス及びプリントサービスに供用可能なプリント及び広告配信サービス装置、さらにプリントサービス装置、広告配信サービス装置を提供することを目的としている。
【課題を解決するための手段】
【０００９】
請求項１に記載されたプリント及び広告配信サービス装置は、
顧客がアクセス可能な店舗内の顧客領域に設置され、印刷サービスと広告配信サービスとクーポン券発行サービスからなるサービス群から顧客が所望のサービスを選択するとともに必要な指示を入力することができる指示入力手段と前記指示入力手段からサービスの選択及び必要な指示が入力されたことを示す受付完了票をプリントして顧客に出力する第１プリンタを備えた入力端末と、
前記顧客領域に設置され、前記印刷サービスのために顧客が持ち込んだ対象物から画像データを読み取る第１画像読取手段と、
顧客がアクセスできず店舗の管理者が管理する店舗内の管理領域に設置され、前記広告配信サービスのために顧客が持ち込んだ広告原稿から広告画像データを読み取る第２画像読取手段と、
前記管理領域に設置され、前記受付完了票を提示した顧客による料金の支払いが確認された後に管理者により操作され、前記入力端末の前記指示入力手段で入力された顧客の選択及び指示に従い、前記第１画像読取手段が読み取った対象物の画像データ又は前記第２画像読取手段が読み取った広告画像データを処理する制御手段と、
前記管理領域に設置され、前記制御手段から送られた画像データに基づいてプリントを実行する第２プリンタと、
前記顧客領域又は前記顧客領域から視認しうる場所に設置され、前記制御手段から送られた広告画像データによって広告画像を表示する表示手段と、
を具備することを特徴としている。
【００１０】
請求項２に記載されたプリントサービス装置は、
顧客がアクセス可能な店舗内の顧客領域に設置され、顧客が指示を入力する指示入力手段と前記指示入力手段から指示が入力されたことを示す受付完了票をプリントして顧客に出力する第１プリンタを備えた入力端末と、
顧客がアクセスできず店舗の管理者が管理する店舗内の管理領域又は前記顧客領域に設置され、顧客が持ち込んだ対象物から画像データを読み取る画像読取手段と、
前記管理領域に設置され、前記受付完了票を提示した顧客による料金の支払いが確認された後に管理者により操作されて前記画像読取手段が読み取った対象物の画像データを前記入力端末の前記指示入力手段で入力された顧客の指示に従って処理する制御手段と、
前記管理領域に設置されて、前記制御手段から送られた画像データに基づいてプリントを実行する第２プリンタとを具備することを特徴としている。
【００１１】
請求項３に記載されたプリントサービス装置は、請求項２記載のプリントサービス装置において、
前記入力端末には、顧客の使用に供するための既成画像データが記憶されたメモリが設けられており、該メモリの既成画像データは顧客による前記入力端末の前記指示入力手段の操作によって使用可能であることを特徴としている。
【００１２】
請求項４に記載されたプリントサービス装置は、請求項３記載のプリントサービス装置において、
前記入力端末には、顧客の画像データが記憶された外部メモリを接続するための接続端子が設けられており、該外部メモリの画像データは顧客による前記入力端末の前記指示入力手段の操作によって使用可能であることを特徴としている。
【００１３】
請求項５に記載された広告配信サービス装置は、
顧客がアクセス可能な店舗内の顧客領域に設置され、顧客が指示を入力する指示入力手段と前記指示入力手段から指示が入力されたことを示す受付完了票をプリントして顧客に出力する第１プリンタを備えた入力端末と、
顧客がアクセスできず店舗の管理者が管理する店舗内の管理領域又は前記顧客領域に設置され、顧客が持ち込んだ広告原稿から広告画像データを読み取る画像読取手段と、
前記管理領域に設置され、前記受付完了票を提示した顧客による料金の支払いが確認された後に管理者により操作されて前記画像読取手段が読み取った広告画像データを処理する制御手段と、
前記顧客領域又は前記顧客領域から視認しうる場所に設置され、前記制御手段から送られた広告画像データによって広告画像を表示する表示手段とを具備することを特徴としている。
【００１４】
請求項６に記載された広告配信サービス装置は、請求項５記載の広告配信サービス装置において、
前記入力端末の前記第１プリンタは、前記表示手段で表示されている広告画像の広告対象にて使用可能なクーポン券を前記入力端末の前記指示入力手段からの指示入力に応じてプリントして出力することを特徴としている。
【００１５】
請求項７に記載された広告配信サービス装置は、請求項６記載の広告配信サービス装置において、
前記制御手段は、前記受付完了票を提示した顧客による料金の支払いが確認された後に管理者により操作された場合に、前記画像読取手段が読み取った広告画像データの内容について検閲を行なうことを特徴としている。
【発明の効果】
【００１６】
請求項１に記載されたプリント及び広告配信サービス装置によれば、顧客は、店舗内の顧客領域に設置された入力端末の指示入力手段を操作し、印刷サービスと、広告配信サービスと、クーポン券発行サービスの中から所望のサービスを選択することができる。
顧客がプリントサービスを選択した場合には、自ら持ち込んだ写真等の対象物を、顧客領域にある画像読取手段を自ら操作して画像データを読み取らせ、又は管理者に依頼して管理領域にある画像読取手段で画像データを読み取らせる。さらに顧客は、店舗の顧客領域にて入力端末の指示手段からプリントサービスの実行に必要なその他の指示を入力する。入力端末の第１プリンタは、指示入力手段から指示が入力され、画像データが入力されて受付が終了したことを示す受付完了票をプリントして顧客に出力する。顧客が、この受付完了票を店舗の管理者に示して必要な料金を支払うと、管理者は制御手段を操作して画像読取手段が読み取った画像データに必要な処理を施し、管理領域にある第２プリンタで画像データをプリントし、これを顧客に引き渡す。
顧客が広告配信サービスを選択した場合には、自ら持ち込んだ広告原稿を、顧客領域にある画像読取手段を自ら操作して広告画像データを読み取らせ、又は管理者に依頼して管理領域にある画像読取手段で広告画像データを読み取らせる。さらに顧客は、店舗の顧客領域にて入力端末の指示手段から広告配信サービスの実行に必要なその他の指示を入力する。入力端末の第１プリンタは、指示入力手段から指示が入力され、広告画像データが入力されて受付が終了したことを示す受付完了票をプリントして顧客に出力する。顧客が、この受付完了票を店舗の管理者に示して必要な料金を支払うと、管理者は制御手段を操作し、画像読取手段が読み取った広告画像データを、顧客領域又は顧客領域から視認しうる場所に設置された表示手段に出力し、広告画像を表示手段に表示してその他の顧客の視認に供する。
顧客がクーポン券発行サービスを選択した場合には、入力端末の第１プリンタは、表示手段で表示されている広告画像の広告対象にて使用可能なクーポン券をプリントして出力する。従って、店舗内における広告配信による広告効果をさらに高めることができる。
【００１７】
請求項２に記載されたプリントサービス装置によれば、顧客は、店舗の顧客領域にて入力端末の指示手段からプリントサービスを指示した後、自ら持ち込んだ写真等の対象物を、顧客領域にある画像読取手段を自ら操作して画像データを読み取らせ、又は管理者に依頼して管理領域にある画像読取手段で画像データを読み取らせる。さらに顧客は、店舗の顧客領域にて入力端末の指示手段からプリントサービスの実行に必要なその他の指示を入力する。入力端末の第１プリンタは、指示入力手段から指示が入力され、画像データが入力されて受付が終了したことを示す受付完了票をプリントして顧客に出力する。顧客が、この受付完了票を店舗の管理者に示して必要な料金を支払うと、管理者は制御手段を操作して画像読取手段が読み取った画像データに必要な処理を施し、管理領域にある第２プリンタで画像データをプリントし、これを顧客に引き渡す。
【００１８】
請求項３に記載されたプリントサービス装置によれば、請求項２記載のプリントサービス装置による効果において、顧客が写真等の読取の対象物を持ち込まなくとも、プリントサービスを受けることができる。すなわち、顧客は、入力端末の指示入力手段を操作することにより、入力端末のメモリに記憶された既成画像データをプリントサービスのために使用することができる。
【００１９】
請求項４に記載されたプリントサービス装置によれば、請求項３記載のプリントサービス装置による効果において、顧客は、画像データが記憶された外部メモリを接続端子に接続し、入力端末の指示入力手段を操作することによって、顧客の外部メモリの画像データをプリントサービスのために使用することができる。
【００２０】
請求項５に記載された広告配信サービス装置によれば、
顧客は、店舗の顧客領域にて入力端末の指示手段から広告配信サービスを指示した後、自ら持ち込んだ広告原稿を、顧客領域にある画像読取手段を自ら操作して広告画像データを読み取らせ、又は管理者に依頼して管理領域にある画像読取手段で広告画像データを読み取らせる。さらに顧客は、店舗の顧客領域にて入力端末の指示手段から広告配信サービスの実行に必要なその他の指示を入力する。入力端末の第１プリンタは、指示入力手段から指示が入力され、広告画像データが入力されて受付が終了したことを示す受付完了票をプリントして顧客に出力する。顧客が、この受付完了票を店舗の管理者に示して必要な料金を支払うと、管理者は制御手段を操作し、画像読取手段が読み取った広告画像データを、顧客領域又は顧客領域から視認しうる場所に設置された表示手段に出力し、広告画像を表示手段に表示してその他の顧客の視認に供する。
【００２１】
請求項６に記載された広告配信サービス装置によれば、請求項５記載の広告配信サービス装置による効果において、さらに、入力端末の第１プリンタは、表示手段で表示されている広告画像の広告対象にて使用可能なクーポン券を、顧客による入力端末の指示入力手段からの指示入力に応じてプリントして出力することができる。従って、店舗内における広告配信による広告効果をさらに高めることができる。
【００２２】
請求項７に記載された広告配信サービス装置によれば、請求項６記載の広告配信サービス装置による効果において、さらに、受付完了票を提示した顧客による料金の支払いが確認された後に、画像読取手段が読み取った広告画像データの内容について検閲を行なうことができるので、顧客が表示手段に表示させようとしている画像等の内容を表示前に予め検閲し、公序良俗違反等、広告として公衆の視認に供するのが適当でない場合には、これを表示させないようにすることができる。
【発明を実施するための最良の形態】
【００２３】
以下、本発明を実施するために特許出願人が出願時点で最良と思う本発明の実施の形態を図１〜図４を参照して説明する。
図１は実施形態に係るプリント及び広告配信サービス装置の構成を示すブロック図、図２は同装置が有する複数の機能から特定の機能を選択する場合の手順を示す流れ図、図３は同装置の作用においてプリントサービスが選択された場合の処理手順を示す流れ図、図４は同装置の作用において広告配信サービスが選択された場合の処理手順を示す流れ図である。
【００２４】
本実施形態のプリント及び広告配信サービス装置は、店舗に配置され、少なくともサービスの一部を顧客のセルフサービスによって行なうことができる装置であって、プリントサービスとは、顧客が店舗に持ち込んだ画像又は顧客が店舗で選択した画像に基づき、顧客が当該店舗でハガキプリント等を申し込み、出来上がったハガキ等を店舗で受け取るというサービスである。また広告配信サービスとは、顧客が店舗に広告画像を持ち込んで広告の配信を申し込むと、当該店舗に設置された表示装置で当該広告画像による広告が表示され、当該店舗に本来の目的（何らかの物品やサービスの購入等）で来店した顧客が表示装置で広告画像を目にして宣伝が行なわれるというサービスである。また、本装置は、広告配信サービス乃至機能に関連して、クーポン券の発行機能も備えており、表示手段で広告を見た顧客の求めに応じて、当該広告に係る店舗で使用可能なクーポン券を発行することができる。
【００２５】
本実施形態の構成を説明する。
図１に示すように、顧客がアクセス可能な店舗内の顧客領域Ａには、顧客が操作する入力端末１が設置されている。入力端末１には、指示入力手段としてのタッチパネル２が設けられており、印刷サービスと、広告配信サービスと、クーポン券発行サービスから所望のサービスを選択することができる。また、タッチパネル２によって、各サービスにおけるその他の必要な指示（例えば印刷サービスにおける印刷枚数等）も入力することができる。
【００２６】
また、入力端末１には第１プリンタ３が設けられている。この第１プリンタ３は、タッチパネル２からサービスの選択及び必要な指示が入力された場合には、その事実を表示して顧客に示すための受付完了票をプリントして出力することができる。また、第１プリンタ３は、顧客がクーポン券の発行を選択した場合に、クーポン券を印刷して発行することができる。このクーポン券は、本装置により本店舗内で広告を配信している顧客（広告主）の店舗において、クーポン券に表示された期限内に限り使用可能である。
【００２７】
入力端末１には、顧客の使用に供するための何種類かの既成画像データが記憶されたメモリ４が設けられている。このメモリ４の既成画像データは、入力端末１のタッチパネル２を操作することによって画像形成に利用することができる。
【００２８】
入力端末１には、顧客の画像データが記憶された外部メモリ４を接続するための接続端子５が設けられている。この外部メモリ４の画像データは、接続端子５に差し込んで入力端末１のタッチパネル２を操作することによって画像形成に利用することができる。
【００２９】
図１に示すように、顧客領域Ａには、印刷サービスのために顧客が持ち込んだ対象物から画像データを読み取る第１画像読取手段６が設けられている。第１画像読取手段６はサービスを受けようとする顧客が自ら使用して画像の読み取りに使用する装置であり、例えば写真や絵のような平面的な原稿から画像データを読み取るだけでなく、ある程度の高さを有するような対象物であっても画像データを読み取ることができるハンディタイプの読み取り装置等を利用することができる。なお、この第１画像読取装置６は、顧客が自ら使用して主としてプリントサービスに使用するものであるが、広告配信サービスにおいて広告原稿から広告画像データを読み取るために使用することもできる。
【００３０】
図１に示すように、顧客がアクセスできず、店舗の管理者（スタッフ）が管理している店舗内の管理領域Ｂ、例えば店舗のサービスカウンター（図示せず）の内部には、主として広告配信サービスのために顧客が持ち込んだ広告原稿から広告画像データを読み取る第２画像読取手段としてのスキャナ７が設けられている。このスキャナ７は顧客が操作するのではなく、顧客の求めに応じて店舗側のスタッフが顧客の広告原稿を預かり、これを読み取って広告画像データを得るために使用するものである。なお、このスキャナ７は、主として広告配信サービスのために店舗側のスタッフによって操作されるものであるが、プリントサービスにおいて顧客が持ち込んだ対象物から画像データを読み取るために使用することもできる。
【００３１】
図１に示すように、管理領域Ｂには制御手段８が設置されている。制御手段８は、顧客がサービスカウンター等でスタッフに受付完了票を提示し、さらに当該受付完了票に表示された申込みサービスに対応する必要な料金を顧客が支払った場合にスタッフによって操作され、顧客が入力端末１から入力した画像データ、広告画像データ、その他の指示内容等に基づいて、プリントサービス、広告配信サービスを継続して実行させる手段である。
【００３２】
この制御手段８は、受付完了票を提示した顧客による料金の支払いが確認された後で、スタッフにより操作された場合、又は顧客が広告画像データを入力端末１から入力した時点で、読み取られた広告画像データの内容について検閲を行なうことができる。検閲は、公序良俗違反等、広告として公衆の視認に供するのが適当でない場合をチェックする内容とする。
【００３３】
図１に示すように、管理領域Ｂには、第２プリンタ９が設置されている。第２プリンタ９は、店舗側のスタッフが管理・運用するものであり、制御手段８から送られた画像データに基づいてプリントを実行する。
【００３４】
図１に示すように、顧客領域Ａには大型モニターのような表示手段１０が設置されており、制御手段８から送られた広告画像データによって広告画像が表示されるようになっている。表示手段１０の設置場所は、顧客領域Ａ内でなくとも顧客領域Ａから視認しうる場所であればよく、例えば管理領域Ｂ内（サービスカウンター内）であっっても顧客領域Ａから視認できるように設置すればよい。
【００３５】
図１に示すように、第１画像読取手段６は入力端末１に接続されており、入力端末１と、第２プリンタ９と、スキャナ７と、表示手段１０は制御手段８に接続されている。顧客は必要に応じてサービスカウンター外の顧客領域Ａにある第１画像読取手段６と入力端末１を操作し、店舗側のスタッフは、サービスカウンター内の管理領域Ｂにある制御手段８、第２プリンタ９、スキャナ７を操作する。
【００３６】
本実施形態の作用を説明する。
図２に示すように、顧客は、本装置が設置された店舗に来店すると、入力端末１のタッチパネル２により、プリントサービス（ハガキ・フレーム切手申込み用シール印刷）、広告配信サービス、クーポン券発行のいずれかの機能を選択することができる（Ｓ１）。
プリントサービスを選択した場合はハガキ・フレーム切手申込み用シール印刷処理（Ｓ２）に移行し、広告配信サービスを選択した場合は広告配信サービス処理（Ｓ３）に移行する。クーポン券発行を選択した場合は、クーポン券印刷（Ｓ４）に移行して入力端末１の第１プリンタ３がクーポン券をプリントして発行する。顧客は、表示手段１０で広告されている店舗等にこのクーポン券を持参すれば、当該クーポン券に表示されている期間中は広告中に表示されていた内容のサービスを受けることができる。
【００３７】
プリントサービスを選択してハガキ・フレーム切手申込み用シール印刷処理（図２、Ｓ２、丸付き数字１）に移行した場合を、そのサブルーチンを示す図３を参照して説明する。
顧客は、入力端末１のタッチパネル２により、ハガキ印刷又はフレーム切手申込みシール印刷のいずれかを選択する（Ｓ２０）。ハガキ印刷とは、所望の画像を印刷したオリジナルのハガキを印刷することを意味し、フレーム切手申込みシール印刷とは、所望の画像を印刷した多数枚のシール状の切手（フレーム切手）の印刷を所定の申込み用紙で申し込むために、申込み用紙に貼付するための当該画像が印刷された申込み用シールを印刷することを意味している。
【００３８】
フレーム切手申込みシール印刷を選択した場合は、写真・イラストなどの紙媒体を第１画像読取手段６やスキャナ７で読み取って画像データを取得し、又はメモリーカード等の外部記憶媒体を入力端末１の接続端子５に接続して画像データを読み込む（Ｓ２１）。
【００３９】
受付が終了すると、入力端末１の第１プリンタ３が受付完了票（レシート）をプリントして出力する（Ｓ２２）。
【００４０】
顧客は、この受付完了票を店舗のスタッフに提示して必要な料金を支払う（Ｓ２３）。
【００４１】
スタッフは制御手段８を操作して作業を続行させ、すでに入力されている画像データを制御手段８において処理し、フレーム切手申込み用シール画像への加工（縮小等の変倍処理等）を行い（Ｓ２４）、さらに第２プリンタ９を用いて加工済みの画像を用いて所定の用紙に印刷を行い、フレーム切手申込み用シールの印刷を行なう（Ｓ２５）。出来上がったフレーム切手申込み用シールはスタッフが顧客に引き渡す。
【００４２】
Ｓ２０においてハガキ印刷を選択した場合は、入力端末１のメモリ４に格納されている既成のイラストデータ（既成画像データ）を利用するか否かを選択し（Ｓ２６）、使用する場合（Ｓ２６、ＹＥＳ）には、タッチパネル２に表示されている既成画像データによるイラストを見ながら選択する（Ｓ２７）。使用しない場合（Ｓ２６、ＮＯ）には、写真・イラストなどの紙媒体を第１画像読取手段６やスキャナ７で読み取って画像データを取得し、又はメモリーカード等の外部記憶媒体を入力端末１の接続端子５に接続して画像データを読み込む（Ｓ２８）。
【００４３】
顧客は、入力端末１のタッチパネル２から、さらに印刷枚数を入力する（Ｓ２９）。
【００４４】
受付が終了すると、入力端末１の第１プリンタ３が受付完了票をプリントして出力する（Ｓ３０）。
【００４５】
顧客は、この受付完了票を店舗のスタッフに提示して必要な料金を支払う（Ｓ３１）。
【００４６】
スタッフは制御手段８を操作して作業を続行させ、すでに入力されている画像データを制御手段８において処理し、第２プリンタ９によってハガキ印刷を行う（Ｓ３２）。出来上がったハガキはスタッフが顧客に引き渡す。
【００４７】
広告配信サービスを選択して広告配信サービス処理の工程（図２、Ｓ３、丸付き数字２）に移行した場合を、そのサブルーチンを示す図４を参照して説明する。
写真・イラストなどの紙媒体を第１画像読取手段６やスキャナ７で読み取って広告画像データを取得し、又はメモリーカード等の外部記憶媒体を入力端末１の接続端子５に接続して広告画像データを読み込む（Ｓ４０）。
【００４８】
顧客は、入力端末１のタッチパネル２によって配信期間の選択（例えば１週間、１カ月等）を行なう（Ｓ４１）。
【００４９】
受付が終了すると、入力端末１の第１プリンタ３が受付完了票をプリントして出力する（Ｓ４２）。
【００５０】
顧客は、この受付完了票を店舗のスタッフに提示して必要な料金を支払う（Ｓ４３）。
【００５１】
スタッフは制御手段８を操作して作業を続行させ、すでに入力されている広告画像データを制御手段８において検閲し、問題ない場合（Ｓ４４、ＯＫ）は表示手段１０に送って当該広告画像を表示させる（Ｓ４５）。検閲の結果、表示できないと判断された場合（Ｓ４４、ＮＯ）は、一旦受け付けた広告画像データを削除し（Ｓ４６）、スタッフは受け取った料金を顧客に返金する（Ｓ４７）。
【００５２】
以上説明した実施形態では、プリントサービスとしてハガキ印刷やフレーム切手申込み用シール印刷を説明したが、その他、写真プリントや名刺プリント等をサービス内容としてもよい。また、本実施形態はプリント及び広告配信サービス装置に関するものであったが、プリントサービス装置と広告配信サービス装置を別装置としてぞれぞれ構成し、要望に応じて必要とする店舗に必要な機能の装置を設置することもできる。
【図面の簡単な説明】
【００５３】
【図１】図１は実施形態に係るプリント及び広告配信サービス装置の構成を示すブロック図である。
【図２】図２は同装置が有する複数の機能から特定の機能を選択する場合の手順を示す流れ図である。
【図３】図３は同装置の作用においてプリントサービスが選択された場合の処理手順を示す流れ図である。
【図４】図４は同装置の作用において広告配信サービスが選択された場合の処理手順を示す流れ図である。
【符号の説明】
【００５４】
１…入力端末
２…指示入力手段としてのタッチパネル
３…第１プリンタ
４…メモリ
５…接続端子
６…第１画像読取手段
７…第１画像読取手段としてのスキャナ
８…制御手段
９…第２プリンタ
１０…表示手段
【図１】
2010086261.tif 000003
【図２】
2010086261.tif 000004
【図３】
2010086261.tif 000005
【図４】
2010086261.tif 000006